(57)【要約】【課題】プロセスカートリッジの新品時に、離隔部材の除去不良や、プロセスカートリッジの画像形成装置に対する装着不良等によって、感光体ドラムと現像ローラの当接状態が確保できない状態において、イニシャル駆動が開始された場合、感光体ドラムとクリーニングブレードとの潤滑不良に起因するクリーニングブレード摩耗やクリーニングブレードめくれ等の問題が発生する恐れがある。【解決手段】プロセスカートリッジの新品時に、現像ローラと感光体ドラムとの当接状態を確実に検知した後に、イニシャル駆動を開始する。【選択図】図１
2011242518.tif 000002
【特許請求の範囲】
【請求項１】
少なくとも、現像剤で現像される潜像が形成される回転可能な像担持体と、前記像担持体に像担持体回転方向に対してカウンターに当接して設けられたクリーニングブレードと、前記像担持体に対して接離可能に設けられ、前記像担持体と接触した状態で前記像担持体に形成された潜像を現像剤で現像するための現像剤担持体と、記憶手段と、を有したプロセスカートリッジを画像形成装置本体の装着部に対して着脱可能に装着して記録媒体に画像を形成する画像形成装置であって、
前記画像形成装置本体は、前記プロセスカートリッジが前記装着部に装着されている状態において、前記現像剤担持体に対して現像バイアスを印加するための現像バイアス印加手段と、前記記憶手段に対して読み出し／書き込み可能な通信手段と、前記現像剤担持体と前記像担持体との接離動作を行う接離手段と、前記現像剤担持体と前記像担持体との接離状態を検知する接離状態検知手段と、前記画像形成装置の駆動動作を制御する制御手段を備え、
前記制御手段は、前記画像形成装置に対する電源投入から画像形成可能状態までに至るまでの間に実行する、前記像担持体の駆動を含むイニシャルシーケンス制御において、電源投入時に、前記通信手段によって前記記憶手段に格納されたプロセスカートリッジ使用情報を読み出し、新品情報である場合には、前記接離手段を前記現像剤担持体と前記像担持体とを当接させる方向に動作させ、前記接離状態検知手段により前記現像剤担持体と前記像担持体との当接が検知されたら前記イニシャルシーケンス制御を開始することを特徴とする画像形成装置。
【請求項２】
前記制御手段は、前記記憶手段から読み出したプロセスカートリッジ使用情報が新品情報ではない場合には、前記接離手段の前記動作、および、前記接離状態検知手段による前記検知を行うことなく前記イニシャルシーケンス制御を開始することを特徴とする請求項１に記載の画像形成装置。
【請求項３】
前記イニシャルシーケンス制御において、前記現像バイアス印加手段から前記現像剤担持体に現像バイアスを印加して前記現像剤担持体から前記像担持体に現像剤を移動させて前記クリーニングブレードと前記像担持体との当接部に到達させることを特徴とする請求項１に記載の画像形成装置。
に現像剤と
【請求項４】
前記接離状態検知手段は、前記現像バイアス印加手段から前記現像剤担持体に対して現像バイアスが印加された際に、前記現像バイアス印加手段と前記現像剤担持体と前記像担持体から構成される回路に流れる電流を検出する電流検出手段を有し、前記制御手段は、前記電流検出手段の検出結果から、前記現像剤担持体と前記像担持体との接離状態を検知することを特徴とする請求項１乃至請求項３の何れか一項に記載の画像形成装置。
【請求項５】
前記画像形成装置本体は、前記プロセスカートリッジを前記装着部に対して出し入れするための開口部と、前記開口部に対して開閉可能な開閉部材と、前記開閉部材の開閉状態を検知する開閉検知手段を有していることを特徴とする請求項１乃至請求項４の何れか一項に記載の画像形成装置。
【発明の詳細な説明】
【技術分野】
【０００１】
本発明は、プロセスカートリッジを画像形成装置本体の装着部に対して着脱可能に装着して記録媒体に画像を形成する画像形成装置に関する。
【０００２】
ここで、画像形成装置には、例えば、電子写真画像形成方式、静電記録画像形成方式、磁気記録画像形成方式等の複写機、プリンタ（例えば、レーザービームプリンタ、ＬＥＤプリンタ等）、ファクシミリ装置、ワードプロセッサ等が含まれる。
【０００３】
プロセスカートリッジとは、像担持体と、像担持体に作用するプロセス手段とを一体的にカートリッジ化し、このカートリッジを画像形成装置本体に対して着脱可能とするものである。像担持体は、現像剤で現像される潜像（静電潜像、電位潜像、抵抗潜像、磁気潜像等）が形成される回転可能な部材であり、電子写真感光体、静電記録誘電体、磁気記録磁性体等である。像担持体に作用するプロセス手段は、像担持体に画像情報に対応した潜像を形成する手段、その潜像を現像剤により現像剤像として現像する手段、像担持体に形成された現像剤像を記録媒体に転写する手段、像担持体をクリーニングする手段等である。
【０００４】
記録媒体は、例えば、記録用紙、ＯＨＴシート、葉書、封筒、ラベル、布などの画像を形成することが可能な物である。また記録媒体は、中間転写ベルトや中間転写ドラム等の中間転写体である場合もある。
【背景技術】
【０００５】
以下、便宜上、電子写真画像形成装置を例にして説明する。従来の電子写真画像形成装置においては、像担持体としての回転可能な電子写真感光体ドラム（以下、ドラムと記す）と、クリーニングブレードと、ドラムに形成された静電潜像を現像する現像剤像担体としての現像ローラとを一体的にカートリッジ化する。そして、このカートリッジを画像形成装置本体に着脱可能とするプロセスカートリッジ方式がある。このプロセスカートリッジ方式によれば、画像形成装置のメンテナンスをサービスマンによらずにユーザー自身で行うことが出来る。そこで、このプロセスカートリッジ方式は、電子写真画像形成装置において広く用いられている。以下、プロセスカートリッジ（画像形成ユニット）をカートリッジと略記する。
【０００６】
ドラムに形成された潜像を現像する現像方式の１つである接触現像方式は、一般に、ドラムと現像ローラとを長手方向に沿って接触させた状態で現像剤（トナー）によって静電潜像を現像するものである。この接触現像方式においては、画像形成時以外（待機時）にもドラムと現像ローラを当接したままの状態で回転駆動／停止動作を繰り返すと両者の摩耗による寿命の低下を招く恐れがある。また、長期間にわたってドラムと現像ローラを当接したままの状態で維持すると現像ローラに圧痕を発生させる恐れがある。更には、物流時の振動／落下等の衝撃によって両者が摺擦／摩耗することで画像不良が発生する恐れがある。そこで、特許文献１には、カートリッジが装置本体に装着された状態で、画像形成時以外にはドラムと現像ローラを離隔する構成が知られている。また、特許文献２には、運搬時にドラムと現像ローラとを離隔する構成が知られている。
【０００７】
一方、画像形成装置においては、一般に、電源が投入されたときに装置を画像形成可能状態に至らせるためのイニシャルシーケンス制御が実行される。その制御の内容としては、例えば、カートリッジの有無検知シーケンス、像担持体の駆動、定着装置の温度立ち上げ、現像装置のウォームアップ駆動、画像濃度調整シーケンス、色ずれ補正シーケンス、像担持体のクリーニングシーケンスなどが挙げられる。
【０００８】
ここで、特許文献３には、カートリッジが新品時に、上述したような運搬時にドラムと現像ローラとを離隔する離隔部材がカートリッジに取り付けられたままの状態であることを現像装置の姿勢で検知する構成が知られている。また、同じくに特許文献４には、帯電ローラとドラムの当接状態を転写電流を検知することで、離隔部材がカートリッジに取り付けられたままの状態であることを検知する構成が知られている。
【０００９】
特に、新品のカートリッジであって、ドラムにカウンター当接したクリーニングブレードに対して潤滑剤を塗布していないカートリッジは、イニシャルシーケンス時に現像ローラをドラムに当接させて、現像ローラ上の現像剤をドラムに転移させる。これにより、ドラムとクリーニングブレードとを潤滑するものが知られている。
【先行技術文献】
【特許文献】
【００１０】
【特許文献１】特開２００１−３３７５１１号公報
【特許文献２】特開２００２−６７２２号公報
【特許文献３】特開２００６−３３０６９４号公報
【特許文献４】特開２００７−１４８１１７号公報
【発明の概要】
【発明が解決しようとする課題】
【００１１】
この場合、上記離隔部材の除去不良や、カートリッジの画像形成装置本体に対する装着不良等よって、ドラムと現像ローラの当接状態が確保できない状態においては、イニシャル駆動が開始された場合には問題が発生する恐れがある。即ち、ドラムとクリーニングブレードとの潤滑不良に起因するクリーニングブレード摩耗やクリーニングブレードめくれ等の発生である。
【００１２】
本発明は、上記課題に鑑みてなされたものである。本発明の目的は、プロセスカートリッジの新品時に、イニシャル駆動を開始する前に、現像剤担持体と像担持体との当接離間動作不良を確実に検知することが可能な画像形成装置を提供することである。
【００１３】
本発明の他の目的は、プロセスカートリッジの新品時のイニシャルシーケンスによって、現像剤担持体に担持されている現像剤を確実に像担持体へ転移させる。これによって、担持像体と、像担持体に当接して設けられたクリーニング手段との潤滑不良の発生がなく、画像形成待機状態に移行することができる画像形成装置を提供することである。
【課題を解決するための手段】
【００１４】
上記目的を達成するための本発明に係る画像形成装置の代表的な構成は、少なくとも、現像剤で現像される潜像が形成される回転可能な像担持体と、前記像担持体に像担持体回転方向に対してカウンターに当接して設けられたクリーニングブレードと、前記像担持体に対して接離可能に設けられ、前記像担持体と接触した状態で前記像担持体に形成された潜像を現像剤で現像するための現像剤担持体と、記憶手段と、を有したプロセスカートリッジを画像形成装置本体の装着部に対して着脱可能に装着して記録媒体に画像を形成する画像形成装置であって、前記画像形成装置本体は、前記プロセスカートリッジが前記装着部に装着されている状態において、前記現像剤担持体に対して現像バイアスを印加するための現像バイアス印加手段と、前記記憶手段に対して読み出し／書き込み可能な通信手段と、前記現像剤担持体と前記像担持体との接離動作を行う接離手段と、前記現像剤担持体と前記像担持体との接離状態を検知する接離状態検知手段と、前記画像形成装置の駆動動作を制御する制御手段を備え、前記制御手段は、前記画像形成装置に対する電源投入から画像形成可能状態までに至るまでの間に実行する、前記像担持体の駆動を含むイニシャルシーケンス制御において、電源投入時に、前記通信手段によって前記記憶手段に格納されたプロセスカートリッジ使用情報を読み出し、新品情報である場合には、前記接離手段を前記現像剤担持体と前記像担持体とを当接させる方向に動作させ、前記接離状態検知手段により前記現像剤担持体と前記像担持体との当接が検知されたら前記イニシャルシーケンス制御を開始することを特徴とする。
【発明の効果】
【００１５】
本発明によれば、プロセスカートリッジの新品時に、イニシャル駆動を開始する前に、現像剤担持体と像担持体との当接離間動作不良を確実に検知することが可能である。また、プロセスカートリッジの新品時のイニシャルシーケンスによって、現像剤担持体に担持させた現像剤を確実に像担持体へ転移させる。これによって、像担持体と、像担持体に当接して設けられたクリーニング手段の潤滑不良の発生がなく、画像形成待機状態に移行することができる。
【図面の簡単な説明】
【００１６】
【図１】実施例の画像形成装置の制御フローを示すフローチャートである。
【図２】（ａ）は画像形成装置の外観斜視図、（ｂ）は前面ドアを開けて、画像形成装置本体に対してプロセスカートリッジを挿入している途中状態或いは引き出している途中状態の斜視図である。
【図３】画像形成装置の概略の縦断正面図である。
【図４】制御系統のブロック図である。
【図５】（ａ）は現像ローラが感光体ドラムに対する当接位置に位置している状態を示した図、（ｂ）は現像ローラが感光体ドラムから離間している離間位置に位置している状態を示した図、（ｃ）は現像ローラの接離状態検知手段の構成説明図である。
【発明を実施するための形態】
【００１７】
［実施例１］
（１）画像形成装置の全体的な概略構成の説明
図２の（ａ）は本実施例における画像形成装置１００の外観斜視図である。図２の（ｂ）は画像形成装置１００の前面ドア３を開けて、画像形成装置本体１に対して画像形成ユニットとしてのプロセスカートリッジ２０を挿入している途中状態或いは引き出している途中状態の斜視図である。図３は画像形成装置１００の概略の縦断正面図である。図４は制御系統のブロック図である。図５の（ａ）は現像ローラ７ｂが感光体ドラム４に対する当接位置に位置している状態を示した図、（ｂ）は現像ローラ７ｂが感光体ドラム４から離間している離間位置に位置している状態を示した図、（ｃ）は現像ローラ７ｂの接離状態検知手段の構成説明図である。
【００１８】
画像形成装置１００は、電子写真プロセスを用いたレーザービームプリンタである。即ち、プリンタ制御回路部（制御手段）１０１にインターフェース１０２を介して接続されているプリンタコントローラ２００から入力する画像データ（電気的な画像情報）に対応した画像を記録媒体（以下、記録材と記す）Ｐに形成して画像形成物を出力する。制御回路部１０１は装置１００の動作を制御する手段であり、コントローラ２００と各種の電気的情報信号の授受をする。また、画像形成部１０３の各種のプロセス機器やセンサから入力する電気的情報信号の処理、各種のプロセス機器への指令信号の処理、所定のイニシャルシーケンス制御、所定の作像シーケンス制御を司る。不揮発性メモリ（ＮＶＲＡＭ）１０４に格納された制御プログラムや参照テーブルにしたがって制御を実行する。コントローラ２００は、ホストコンピュータ、ネットワーク、イメージリーダ、ファクシミリ等の外部ホスト装置である。
【００１９】
ここで、装置１００に関して、正面側又は前側とは画像形成装置本体（以下、装置本体と記す）１に設けられた開口部２を閉じる閉鎖位置と、開口部２を開放する開放位置との間を移動可能（開閉可能）なドア（開閉部材）３が配設されている側である。後側又は奥側とはそれとは反対側である。前後方向とは、装置本体１の後側から前側に向かう方向（前方向）とその逆の方向（後方向）である。左右とは装置本体１を前側から見て左又は右である。左右方向とは、右から左に向かう方向（左方向）と、その逆の方向（右方向）である。装置本体１とは、後述する画像形成ユニットであるプロセスカートリッジを除いた画像形成装置部分である。
【００２０】
装置本体１内には画像形成部１０３が配設されている。画像形成部１０３は、潜像が形成される回転可能な像担持体としてのドラム型の電子写真感光体４（以下、ドラムと記す）を備えている。ドラム４は装置本体１に対してドラム軸線を前後方向にして回転可能に配設されている。そして、駆動手段（モータ）Ｍにより所定の周速（プロセススピード）にて矢印の時計方向に回転駆動される。ドラム４は、アルミシリンダの外側に有機光導電層を塗布されている。また、アルミシリンダは導電性部材（アースピン）４ａを介して、装置本体１側に接地Ｇされている。回転するドラム４の周面が接触型の帯電手段としての帯電ローラ５により所定の極性・電位に一様に帯電処理される。本実施例において、帯電ローラ５は、芯金と、芯金周りに同心一体に形成された導電性弾性体層とを有し、ドラム４に対してほぼ並行に配列され、かつ導電性弾性体層の弾性に抗して所定の押圧力で当接している。芯金の両端部は回転可能に軸受け支持されており、帯電ローラ５はドラム４の回転に従動して回転する。本実施例においては、帯電ローラ５の芯金に対して帯電バイアス印加手段（電源）Ｅ１から帯電バイアスとして約−１０００Ｖの直流電圧が印加される。これにより、ドラム４の表面が約−５００Ｖの暗電位ＶＤに一様に帯電される。
【００２１】
このドラム４の一様帯電処理面が画像露光手段としてのレーザースキャナユニット６により画像露光されて、ドラム４の面に露光画像情報に対応した静電潜像が形成される。本実施例においては、画像露光は画像情報部に対応して露光するイメージ露光方式である。ユニット６には、コントローラ２００からインターフェース１０２を介してプリンタ制御回路部１０１に入力して画像処理された画像情報の時系列電気デジタル画素信号が入力する。ユニット６は、入力する画素信号に対応して変調したレーザー光Ｌ（露光ビーム）を出力するレーザー出力部、回転多面鏡（ポリゴンミラー）、ｆθレンズ、反射鏡等を有する。そして、レーザー光Ｌでドラム４の帯電面を主走査露光する。この主走査露光と、ドラム４の回転による副走査により、露光されたドラム面部分の電位が約−１００Ｖの明電位ＶＬになり、暗電位ＶＤと明電位ＶＬとの電位コントラストにより、回転するドラム４の面に露光パターンに対応した静電潜像が形成される。
【００２２】
その静電潜像が現像手段としての現像装置７により現像剤像として顕像化（現像）される。本実施例において、この現像装置７は、負帯電性の現像剤（以下、トナーと記す）Ｔを用いた反転現像装置であり、ドラム面の静電潜像は露光部に対応する部分にトナーが付着することでトナー像として反転現像される。現像装置７において、７ａはトナーＴを収容させた現像容器、７ｂは現像容器の開口部に回転可能に配設された現像剤担持体としての現像ローラ、７ｃは現像ローラ７ｂに当接させて配設された現像剤層厚規制部材としての現像ブレードである。７ｄは現像容器７ａ内のトナーＴを攪拌するための回転可能な攪拌部材である。現像ローラ７ｂは、芯金と、この芯金周りに同心一体に形成した導電性弾性体層と、を有し、ドラム４にほぼ並行に配設されている。画像形成時においては、現像ローラ７ｂは、ドラム４に接触した状態で、矢印の反時計方向に所定の速度で回転駆動される。現像容器７ａ内のトナーＴは攪拌部材７ｄが回転駆動されることにより攪拌されて、現像ローラ７ｂに向かう方向に送られて現像ローラ７ｂに供給されると共に、現像ローラ７ｂの長手に沿うトナー量分布が均一化される。現像ブレード７ｃは、現像ローラ７ｂに担持されたトナーの層厚を規制して現像ローラ７ｂにトナーＴを薄層として担持させると共に、摩擦によってトナーを帯電して現像に必要な電荷を与える。本実施例においては、トナーＴは負極性に帯電される。このようにして、層厚が規制され、負極性に帯電された現像ローラ７ｂ上のトナー薄層が引き続く現像ローラ７ｂの回転によりドラム４との対向部である現像領域に送られる。そして、本実施例においては、画像形成時に、現像ローラ７ｂに対して現像バイアス印加手段（電源）Ｅ２から現像バイアスとして約−３００Ｖの直流電圧が印加される。これにより、現像領域内に送られた負帯電トナーがドラム４側の静電潜像の露光部に対応する部分に対して選択的に飛翔して付着し、静電潜像がトナー像として反転現像される。
【００２３】
一方、所定の制御タイミングにて給紙ローラ９が回転駆動されて、給紙カセット１０から記録材Ｐが一枚分離給送される。給紙カセット１０は装置１００の正面側から出し入れ自由である（フロントローデイング）。１０ａは給紙カセット１０の前面に設けた指掛け部である。給送された記録材Ｐは、搬送路１１を搬送されてレジストローラ対１２に至り、その時点では回転を停止している該ローラ対１２のニップ部に先端部が受け止められて斜行矯正を受ける。そして、その記録材Ｐが、所定の制御タイミングで回転駆動されたローラ対１２により再給送されて、ドラム４と、転写手段としての回転する転写ローラ１３との当接部である転写ニップ部Ｎに導入される。転写ローラ１３は、芯金と、この芯金周りに同心一体に形成した導電性弾性体層と、を有し、ドラム４に対してほぼ並行に配列され、かつ導電性弾性体層の弾性に抗して所定の押圧力で当接されていて、ドラム４との間で転写ニップ部Ｎを形成している。記録材Ｐはこの転写ニップ部Ｎを挟持搬送されていき、その間、転写ローラ１３には転写バイアス印加手段（電源）Ｅ３から、トナーＴの帯電極性とは反対極性、本実施例では正極性で、かつ所定電位の転写バイアスが印加される。転写ローラ１３にトナーと逆極性の転写バイアスが印加されることで、転写ニップ部Ｎにおいて、記録材Ｐの背面側（ドラム側とは反対側の面）にトナーと逆極性の電荷が付与される。これにより、ドラム４側のトナー像が記録材Ｐの表面に静電転写される。
【００２４】
転写ニップ部Ｎを出た記録材Ｐはドラム４の面から分離され、搬送路１４を通って定着手段である加熱定着装置１５に導入され、記録材Ｐ上の未定着のトナー像の定着処理を受ける。本実施例における定着装置１５は熱ローラタイプの装置であり、表面が所定の定着温度に加熱温調される加熱ローラ１５ａと、これにほぼ並行に配列して圧接させて定着ニップ部を形成させた加圧ローラ１５ｂを有している。加熱ローラ１５ａと加圧ローラ１５ｂは矢印の方向に所定の速度で回転駆動され、定着ニップ部にて記録材Ｐを挟持搬送しながら記録材上の未定着のトナー像を加熱・加圧して固着画像として定着させる。
【００２５】
定着装置１５を出たトナー像定着済みの記録材が画像形成物として搬送路１６により装置本体内を上方に送られ、排紙ローラ対１７により排紙口１８から装置本体上面の排紙トレイ１９上に排出される。記録材分離後のドラム４の表面はクリーニング手段としてのクリーニング装置８によりドラム面に付着している転写残トナー等の残留異物の除去を受けて清掃され、繰り返して作像に供される。
【００２６】
クリーニング装置８は、クリーニング部材としてクリーニングブレード８ａを用い、これを回転するドラム４に対してカウンター配設（像担持体回転方向に対してカウンターに当接）で、所定の侵入量をもって当接させたブレードクリーニング装置である。転写残トナー等のドラム４上の汚染物は、ドラム４の回転過程で、カウンター配設のブレード８ａのブレード先端エッジ部とドラム４との当接位置にてドラム４上から掻き取られ、廃トナー収容部８ｂ内に回収される。
【００２７】
また、給紙ローラ９から排紙口１８に至る記録材の搬送路１１・１４・１６の所定の随所にジャム検知手段としての記録材検知センサＳが配設されている。各センサＳはそれぞれ記録材の先端到達と後端通過を検知して先端到達信号と後端通過信号を制御回路部１０１に入力する。制御回路部１０１は、給紙開始時点を基点にして、記録材Ｐの搬送速度と、各センサＳからの先端到達信号と後端通過信号の入力時点とに基づいて、記録材Ｐのジャム検知と発生箇所検知をする。制御回路部１０１はジャム検知情報に基づいて、装置１００の画像形成動作を緊急停止する。また、操作パネル部２４の表示部２５にジャムが発生した旨の表示及び発生箇所の表示を行って使用者にジャム処理（ジャムしている記録材の除去）を促す。操作パネル部２４には画像形成装置の電源スイッチ（メインスイッチ）ＳＷ−Ｍ、操作キー部２６等が配設されている。
【００２８】
（２）プロセスカートリッジ
本実施例の装置１００においては、ドラム４、帯電ローラ５、現像装置７、クリーニング装置８の４つのプロセス機器を一括して装置本体１内の装着部Ａに対して着脱可能な画像形成ユニットとしてのプロセスカートリッジ２０としている。カートリッジ２０は、ドラム４と帯電ローラ５を保持したクリーニング装置８の枠体８１（以下、ドラムユニットと記す）に対して現像装置７を現像ユニットとして支持軸（回動支点）３１を中心に回動可能に結合して構成されている。ドラムユニット８１と現像装置７は、図５の（ａ）のように、引っ張りバネ部材３２によって連結されている。より具体的には、現像装置７に回転自在に保持された現像ローラ７ｂの軸受け部（不図示）と、ドラムユニット８１に回転自在に保持されたドラム４の軸受け部（不図示）とが付勢部材としての引っ張りバネ部材３２によって連結されている。現像装置７はバネ部材３２の引っ張り力により支持軸３１を中心にドラムユニット８１側に移動する方向に回動付勢されて、図５の（ａ）のように、現像ローラ７ｂがドラム４に対して長手方向に沿って所定の押圧力で接触している当接位置を取り得る。また、現像装置７はバネ部材３２の引っ張り力に抗して支持軸３１を中心にドラムユニット８１から離れる方向に回動されることで、図５の（ｂ）のように、現像ローラ７ｂがドラム４から長手方向に沿って非接触に離間αした離間位置を取り得る。
【００２９】
カートリッジ２０は、装置本体１のカートリッジ装着部Ａに装着されている状態においてドラムユニット８１が装置本体１側の位置決め部に対して位置決め固定される。現像装置７はその位置決め固定されたドラムユニット８１に対して支持軸３１を中心に当接位置と離間位置の間を回動可能である。そして、現像装置７の底面に対して装置本体１側に配設してある接離手段としての当接離間カム３０が対応位置している。
【００３０】
カム３０は、制御回路部１０１で制御される当接離間カム駆動手段３Ａにより隆起部が下向きとなっている位相０°の第１回転角姿勢（図３、図５の（ａ））と、隆起部が上向きとなっている位相１８０°の第２回転角姿勢（図５の（ｂ））と、に切換え制御される。カム３０は第１回転角姿勢においては現像装置７の底面から非接触に離間している。この状態においては、現像装置７は、現像ローラ７ｂがドラム４に対してバネ部材３２の引張り力により所定の押圧力で接触している当接位置に保持される（図３、図５の（ａ））。また、カム３０は第２回転角姿勢において上向きとなっている隆起部により現像装置７の底面を押し上げる。この状態においては、現像装置７は、現像装置７の自重とバネ部材３２の引っ張り力に抗して支持軸３１を中心にドラムユニットから離れる方向に回動されて、現像ローラ７ｂがドラム４から離間した離間位置に保持される。現像装置７は、カートリッジ２０が装置本体１に装着された状態で、上記の当接位置又は離間位置のどちらかの状態に保持される。当接位置は画像形成可能な画像形成状態である。また、離間位置は待機状態である。
【００３１】
本実施例のカートリッジ２０においては、新品時、即ち工場出荷状態においては、現像ローラ７ｂの表面には潤滑剤としてのトナーが均一に塗布されている。一方、カートリッジ２０の新品状態において、クリーニングブレード８ａには潤滑剤は塗布されておらず、イニシャルシーケンス実行時に現像装置７からドラム４に対して供給されるトナーによって潤滑される構成になっている。
【００３２】
前述したように、カートリッジ２０は装置本体１に対する装着状態においてドラムユニット８１が位置決め固定手段（不図示）により装置本体１内の所定の装着部Ａに位置決め固定されている。そのカートリッジ２０に対して装置本体１側の駆動手段Ｍからドラム駆動力、現像ローラ駆動力、攪拌部材駆動力が伝達可能となっている。また、そのカートリッジ２０に対して装置本体１側のバイアス印加手段Ｅ１・Ｅ２からそれぞれ帯電バイアスと現像バイアスが印加可能となっている。また、カートリッジ２０に具備させた記憶部材（記憶手段）としてのメモリ部材２１の情報伝達部２２が装置本体１側の情報伝達部２３と対向している。これにより、メモリ部材２１と制御回路部１０１との間で情報伝達部２２・２３を介して情報の授受（情報の読み書き）が可能となっている。情報伝達部２２・２３が記憶手段であるメモリ部材２１に対して読み出し／書き込み可能な通信手段である。２０ａはカートリッジ２０の上面に設けられている露光窓部である。ユニット６から出力されたレーザー光Ｌはこの露光窓部２０ａからカートリッジ２０内に進入してドラム４を走査露光する。
【００３３】
装置本体１に対するカートリッジ２０の脱着、装置本体１の内部点検・内部整備等は、装置本体１の前面側に配設されているドア３を開いて、装置本体１の内部を開放することでなされる。図２の（ａ）は装置本体１に対してドア３が閉じられている状態を示している。３ａはドア３の前面に設けた指掛け部である。図２の（ｂ）はドア３が開かれている状態を示している。ドア３は下辺側の横軸３ｂを中心に装置本体１に対してほぼ垂直に立て起して閉じ込んだ状態から、手前側に回動してほぼ水平に倒した開き状態にすることができる。ドア３が開かれることで、装置本体１を構成するメインフレーム（不図示）の前枠に形成された開口部２が露出して装置本体１の内部が大きく開放される。これにより、装置本体内部のカートリッジ装着部Ａが露呈する。また、ドア３が開かれることで、装置本体１の開口部２に配設されている、ドアの開閉状態を検知するドア開閉状態検知手段としてのドアスイッチＳＷ−Ｄのドア３による押圧が解除される。この押圧解除によりドアスイッチＳＷ−Ｄがオフになる。ドアスイッチＳＷ−Ｄは装置１００の電源回路を電源スイッチＳＷ−Ｍとは別にオン・オフするサブスイッチである。制御回路部１０１は、ドアスイッチＳＷ−Ｄがオンであればドア３が閉じられていると認識し、オフであればドア３が開かれていると認識する。
【００３４】
ここで、装置１００に対する電源投入とは、ドアスイッチＳＷ−Ｄがオンである状態において、電源スイッチＳＷ−Ｍがオフからオンにされて電源回路がオンとなったときである。或いは、電源スイッチＳＷ−Ｍがオンである状態において、ドアスイッチＳＷ−Ｄがオフからオンにされて電源回路がオンとなったときである。また、電源がオフとは、ドアスイッチＳＷ−Ｄがオンである状態において、電源スイッチＳＷ−Ｍがオンからオフにされて電源回路がオフとなっている状態である。また、電源がオフとは、電源スイッチＳＷ−Ｍがオンである状態において、ドアスイッチＳＷ−Ｄがオンからオフにされて電源回路がオフとなっている状態である。或いは、電源スイッチＳＷ−ＭとドアスイッチＳＷ−Ｄが共にオフとなっている状態である。
【００３５】
本実施例においては、ドア３が開かれたときは、ドア３の開き回動に機械的に連動する連動機構（不図示）の動作によって位置決め固定手段が解除方向に動作する。これにより、装着部Ａに装着されているカートリッジ２０のドラムユニット８１の装置本体１に対する位置決め固定状態が解除される。このとき、装置本体１側に配設してある接離手段としての当接離間カム３０は第２回転角姿勢に保持されていて、装着部Ａに装着されているカートリッジ２０の現像装置４は離間位置に保持された状態になっている（図５の（ｂ））。そして、位置決め固定が解除された状態のカートリッジ２０を装置本体１内の前後方向に延びている脱着ガイド部材２８にドラムユニット８１の被ガイド部を沿わせて手前側にスライド移動させる。これにより、カートリッジ２０を装置本体１内の装着部Ａから開口部２を通過させて装置本体１の外側に取り出すことが可能となる。取り出されたカートリッジ２０の現像装置４はカム３０とは縁が切れて、自重とバネ部材３２の引張り力で当接位置に回動位置した状態になる。必要に応じて、カートリッジ２０を装置本体１内の装着部Ａから一旦取り出すことで、装置本体１の内部点検・内部整備等をより容易に行うことが可能である。
【００３６】
逆に、カートリッジ２０の装置本体１に対する装着は、カートリッジ２０の長手方向奥側（駆動側）を先にして、開口部２から装置本体１内に差し入れ、ドラムユニット８１の被ガイド部を着脱ガイド部材２８に係合させる。そして、ドラムユニットの被ガイド部を着脱ガイド部材２８に沿わせて奥側にスライド移動させて、カートリッジ奥側の突き当て部が装置本体内の奥側の突き当て部受け部（不図示）に突き当たって受け止められるまでカートリッジ２０を装着部Ａに十分に挿入する。これにより、カートリッジ２０のドラムユニット側のメモリ部材２１の情報伝達部２２が装置本体１側の情報伝達部２３と対向した状態になる。このとき、装置本体１側のカム３０は第２回転角姿勢に保持されている。そのため、カートリッジ２０の現像装置４は、カートリッジ２０が装着部Ａに装着されることで、当接位置から離間位置に保持された状態に転換される（図５の（ｂ））。次いで、ドア３を閉じることで、ドア３の閉じ回動に機械的に連動する連動機構（不図示）の動作によって位置決め固定手段が固定方向に動作して、装着部Ａに挿入されたカートリッジ２０のドラムユニット８１が装置本体１に対して位置決め固定される。また、ドア３が閉じられることで、ドアスイッチＳＷ−Ｄがオンになる。これにより、装着状態のカートリッジ２０に対して装置本体側の駆動手段からドラム駆動力、現像ローラ駆動力、攪拌部材駆動力が伝達可能となる。また、カートリッジ２０に対して装置本体１側の電圧印加手段Ｅ１・Ｅ２から帯電バイアスと現像バイアスが印加可能となる。
【００３７】
本実施例においては、メモリ部材２１には、例えば画像形成枚数、現像剤の残量に関する情報等、カートリッジ固有の情報を格納している。そして、少なくともカートリッジ２０が未使用（新品）の情報は、情報伝達部２２・２３を介して制御回路部１０１とメモリ部材２１の間で通信することができる。また、メモリ部材２１と、その情報伝達部２２と、装置本体１側の情報伝達部２３とをカートリッジ有無検知手段として兼用している。即ち、制御回路部１０１は通信手段である情報伝達部２２・２３を介してメモリ部材２１と通信することができれば、装置本体１の装着部Ａにカートリッジ２０が装着されている、即ちカートリッジ２０が装置本体内に有ると認識する。また、メモリ部材２１と通信することができなければ、カートリッジ２０が装置本体１の装着部に無いと認識する。
【００３８】
（３）現像ローラの当接離間動作
装置本体１の装着部Ａに装着されている状態にあるカートリッジ２０のドラム４に対する現像ローラ７ｂの当接離間動作は、カム３０の回転角姿勢切換えに伴う現像装置７の支持軸３１を中心とする回動動作によって行われる。カム３０の駆動手段３０Ａは本実施例は駆動モータとソレノイドを含み、制御回路部１０１はカム３０が半回転ずつ回転するように制御する。また、装置本体１側には、カム３０の位相を検知する位相検知センサ３０Ｂが配置されており、制御回路部１０１は、このセンサ３０Ｂの検知結果に応じて駆動手段３０Ａを制御することでカム３０の位相制御を行う。これにより、カム３０の第１回転角姿勢から第２回転角姿勢への切換え動作又はその逆の切換え動作の正確性を確保している。
【００３９】
カム３０は第１回転角姿勢から第２回転角姿勢に切換えられることで現像装置７の底部を持ち上げる。持ち上げられた現像装置７はバネ部材３２の引っ張り力に抗して支持軸３１を中心にして上方へ回動する。これにより、現像ローラ７ｂがドラム４から離間した状態になる。即ち、現像装置７は離間位置に保持される。この時、ドラム４・帯電ローラ５・クリーニング装置８を含むドラムユニット８１は前述したように位置決め固定手段により装置本体１に位置決め固定されているので移動が規制される。また、カム３０は第２回転角姿勢から第１回転角姿勢に切換えられることで、現像装置７は自重とバネ部材３２の引っ張り力と自重により支持軸３１を中心にして下方へ回動して、現像ローラ７ｂがドラム４に接触した状態になる。そして、バネ部材３２の引っ張り力によってその接触状態が所定の押圧力で保持される。即ち、現像装置７は当接位置に保持される。このようにして、カム３０が半回転制御される毎に、現像装置７がドラム４に対する当接位置と離間位置とに移動される動作を繰り返す。制御回路部１０１は、装置１００の画像形成動作時にはカム３０を第１回転角姿勢に切換えて現像装置７を当接位置に保持する。また、制御回路部１０１は、装置１００の待機状態時（画像形成時以外）にはカム３０を第２回転角姿勢に切換えて現像装置７を離間位置に保持する。これにより、現像ローラ７ｂに対する圧痕の発生を抑制するようにしている。
【００４０】
（４）現像ローラの接離状態検知手段
ここで、現像ローラ７ｂがドラム４に対して当接しているか離間しているかの状態を検知する手段について説明する。図５の（ｃ）は、本実施例における接離状態検知手段１０５の構成図である。本実施例においては、ドラム４のアルミシリンダ部に接触している導電性部材４ａと装置本体１側のアース部Ｇとの間に電流検知部（電流検出手段）Ｄ１を設けることで、ドラム４からアースＧに流れる電流Ｉを検知する構成である。より具体的には、現像ローラ７ｂとドラム４が当接している状態において、現像ローラ７ｂの芯金部に現像バイアス印加手段Ｅ２から−３００Ｖの直流電圧が印加された場合、電流検知部Ｄ１によってドラム４からアースに向かって流れる微小な電流Ｉを検知する。このとき、電流検知部Ｄ１と、電圧印加手段Ｅ２の接地箇所は導通している。一方、現像ローラ７ｂとドラム４が離間した状態において、電圧印加手段Ｅ２から現像ローラ７ｂの芯金に直流電圧を印加した場合は、ドラム４とアースの間には電流は流れない（Ｉ＝０μＡ）。また、現像ローラ７ｂがドラム４に対して長手に沿って全域にわたって当接した状態と比較して、長手方向に不均一に当接した場合、いわゆる片当たりの状態では、電流検知部Ｄ１に流れる電流値Ｉが小さくなる。本実施例においては、このことに基づいて、制御回路部１０１は、検知電流Ｉと所定の閾値Ｉｔｈと比較を行う。即ち、制御回路部１０１は、電流検知部Ｄ１によって検出された電流Ｉが閾値Ｉｔｈ以上（Ｉ≧Ｉｔｈ）場合は、現像ローラ７ｂがドラム４の長手に全域にわたって当接状態であると判断する。一方、電流検知部Ｄ１によって検出された電流Ｉが閾値Ｉｔｈよりも小さい（０μＡ＜Ｉ＜Ｉｔｈ）場合は、制御回路部１０１は、現像ローラ７ｂがドラム４に対して片当たり状態になっていると判断する。上記のように、現像バイアス印加時に、ドラム４とアースＧの間に流れる電流を検出することで、制御回路部１０１は現像ローラ７ｂとドラム４との接離状態を検知することができる。上記において、現像バイアス印加手段Ｅ２、当接離間カム駆動手段３０Ａ、電流検出手段Ｄ１が、現像剤ローラ７ｂとドラム４との接離状態を検知する接離状態検知手段である。
【００４１】
（５）イニシャルシーケンス制御
図１は本実施例におけるイニシャルシーケンス制御のフロー図である。フローチャートの実行主体は制御手段である制御回路部１０１のＣＰＵ（演算部）である。ＣＰＵが記憶部（ＲＯＭ、ＲＡＭ）１０４に保存されているプログラムや参照テーブルに基づき装置１００の各プロセス機器を制御する。ＣＰＵはプログラムによって、順序決定手段として機能する。
【００４２】
ステップＳ１：制御回路部１０１は、電源スイッチＳＷ−Ｍがオン（プリンタ電源ＯＮ）にされたら、ドア３がオープン状態であるかどうかを検知する。この検知は、ドア開閉状態検知手段としてのドアスイッチＳＷ−Ｄがオン状態かオフ状態かによりなされる。電源スイッチＳＷ−Ｍがオンでも、ドアスイッチＳＷ−Ｄがオフ、即ちドア３がオープン状態であるときは、画像形成装置の駆動を禁止状態に保持する。また、操作パネル部２４の表示部２５にドア３がオープン状態である旨を表示する。
【００４３】
ステップＳ２：制御回路部１０１は、ドアスイッチＳＷ−Ｄがオンである、或いはオフであったがその後にドア３が閉じられてオンとなったら、即ち電源投入の状態になったら、不揮発メモリ１０４にジャムビットが記憶されているかを読み出す。ジャムビット無しの場合は、制御回路部１０１は、情報伝達部２３を介して、ステップＳ３のカートリッジ新品ビットの読み出しに移行する。ジャムビット有りの場合は、画像形成装置の駆動を禁止状態に保持する。また、操作パネル部２４の表示部２５にジャム処理を促す表示をする。そして、ジャム処理がなされて、ステップＳ１・Ｓ２を経てジャムビット無しの状態になったら、ステップＳ３のカートリッジ新品ビットの読み出しに移行する。
【００４４】
ステップＳ３：制御回路部１０１は、情報伝達部２３を介して、カートリッジのメモリ部材２１に格納されているカートリッジの使用情報を読み出し、新品ビットの有無を判断する。カートリッジが使用された履歴がある、即ち新品ビットがない場合は、制御回路部１０１は、ステップＳ４の第一のイニシャル駆動を開始する。一方、新品ビットを検知した場合は、ステップＳ６乃至ステップＳ８までの現像ローラの接離状態検知シーケンスに移行する。
【００４５】
ステップＳ４：第一のイニシャル駆動とは、現像ローラ７ｂ、ドラム４の回転駆動動作を行うことによる回転駆動チェックと、現像バイアス印加手段Ｅ２、帯電バイアス印加手段Ｅ１の高圧印加チェックを行うものである。また同時に、現像ローラ７ｂの回転によるトナー帯電量の立ち上げ、トナー攪拌、ドラム４の回転駆動によるドラムクリーニングも実施される。そして、制御回路部１０１が、各種イニシャルシーケンスが異常なく完了したことを判断すると、ステップＳ５のプリント待機状態に移行する。
【００４６】
ステップＳ５：制御回路部１０１は、カートリッジ２０についての第１のイニシャル駆動を終了したら、画像形成装置を画像形成可能状態（プリント可能状態：プリントｒｅａｄｙ）にして、画像形成開始信号（プリントスタート信号）の入力待ちをする。そして、画像形成開始信号の入力に基づいて画像形成動作を実行する。
【００４７】
ステップＳ６：電源投入時に、制御回路部１０１は、新品のカートリッジ２０が装置本体１に装着されたことを検知すると、装置本体１側のカム３０を第２回転角姿勢から第１回転角姿勢に切換え駆動する。即ち、装置１００は、電源投入時は待機状態時であり、カム３０は第２回転角姿勢に保持されている。即ち、現像装置７が離間位置に保持されていて現像ローラ７ｂはドラム４から離間している（図５の（ｂ））。装置１００は、カム３０をその第２回転角姿勢から第１回転角姿勢に切換え駆動する。これにより、現像装置７が離間位置から当接位置に転換されて現像ローラ７ｂがドラム４に当接した状態に保持される（図５の（ａ））。制御回路部１０１は、カム３０を第１回転角姿勢に切換え駆動をしたら、ステップＳ７の現像バイアス印加を行う。
【００４８】
ステップＳ７：制御回路部１０１は、現像バイアス印加手段Ｅ２から、現像ローラ７ｂの芯金に対して現像バイアスを印加する。このときにバイアス出力値は、画像形成時に印加されるものと同一であり、制御回路部１０１は、現像バイアス印加手段Ｅ２の出力立ち上がり時間を考慮して、所定のバイアス出力値が印加されたと判断した後に、ＯＦＦされる。
【００４９】
ステップＳ８：制御回路部１０１は、上記ステップＳ７において、現像バイアスが印加された際に、ドラム４のアースＧに対して流れる電流を電流検知部Ｄ１によって検出する。そして、検出された電流値Ｉが所定の閾値Ｉｔｈ以上（Ｉ≧Ｉｔｈ）と検知した場合は、現像ローラ７ｂとドラム４とが長手全域に渡って当接していると判断する。即ち、現像ローラ当接離間機構に動作不良はないと判断する。そして、制御回路部１０１は、カム３０を第２回転角姿勢に転換して現像装置７を離間位置に戻した後に、ステップＳ９の第二のイニシャル駆動に移行する。
【００５０】
一方、ステップＳ８の検出電流値が所定の閾値Ｉｔｈよりも小さい（Ｉ＜Ｉｔｈ）と検知された場合は、装置本体１の装着部Ａに装着されている新品のカートリッジ２０についの離隔部材の除去不良の可能性がある。離隔部材は新品のカートリッジ２０の運搬時にドラム４と現像ローラ７ｂとを離隔する部材であり、装置本体１に対する装着時に除去するものである。また、カートリッジ２０の装着部Ａに対する装着不良等の可能性がある。そのため、制御回路部１０１は装置１００の駆動を禁止状態に保持する。また、操作パネル部２４の表示部２５にプロセスカートリッジの装着状態不良である旨を表示して、使用者に処置を促す。
【００５１】
ステップＳ９：第二のイニシャル駆動とは、現像ローラ７ｂとドラム４の回転駆動動作と、現像ローラ７ｂとドラム４との当接離間動作を含むものである。主な目的は、カートリッジ２０の新品時に現像ローラ７ｂ上に均一に塗布されている潤滑剤としてのトナーをドラム４に供給することで、クリーニングブレード８ａの潤滑を行うものである。そのため、制御回路部１０１は、現像ローラ７ｂとドラム４の駆動開始と同時に、現像バイアス印加手段Ｅ２と帯電バイアス印加手段Ｅ１からバイアス印加を開始する。更に、カム３０を第２回転角姿勢から第１回転角姿勢に転換することで、現像装置７を当接位置に位置させる。そして、レーザー光Ｌでドラム４の帯電面を明電位ＶＬになるようにユニット６を制御する。
【００５２】
この第二のイニシャル駆動によって、カートリッジ２０の新品時に現像ローラ７ｂ上に均一に塗布されているトナーと、更には、現像容器７ａから現像ローラ７ｂに供給されるトナーとがドラム４の表面に転移する。トナーの転移はドラム４の表面の明電位ＶＬと現像バイアス電位との電位差の作用でなされる。そして、ドラム４の表面に現像されたトナーがブレード８ａとドラム４との当接部に供給されることで、ブレード８ａとドラム４との間の潤滑が行われる。所定量のトナーを現像した後に、制御回路部１０１は、ユニット６の駆動を停止し、カム３０を第１回転角姿勢から第２回転角姿勢に転換することで、現像装置７を離間位置に位置させる。そして、現像バイアス印加手段Ｅ２と帯電バイアス印加手段Ｅ１の出力をＯＦＦすると同時に、現像ローラ７ｂとドラム４の駆動を停止する。
【００５３】
ここで、第二のイニシャル駆動中は、第一のイニシャル駆動と同様に、現像ローラ７ｂ、ドラム４の回転駆動チェックと、現像バイアス印加手段Ｅ２と帯電バイアス印加手段Ｅ１の高圧印加チェックも実施される。更には、現像ローラ７ｂ回転によるトナー帯電量の立ち上げ、トナー攪拌、ドラムクリーニングも実施される。
【００５４】
ステップＳ１０：上述した、第二のイニシャル駆動が異常なく終了した場合、制御回路部１０１は、装置本体１側の通信手段２３を介して、カートリッジ２０側のメモリ部材２１に格納されている新品ビットを消去する。その後、装置１００を画像形成可能状態（プリント可能状態：プリントｒｅａｄｙ）にして、画像形成開始信号（プリントスタート信号）の入力待ちをする。そして、画像形成開始信号の入力に基づいて画像形成動作を実行する。
【００５５】
本実施例は、カートリッジ２０についてのイニシャル駆動後に、濃度調整、色ずれ補正、定着装置１５のウォームアップ駆動を行う場合でも有効である。また、現像バイアス印加手段Ｅ２、帯電バイアス印加手段Ｅ１に加えて、転写バイアス印加手段Ｅ３の高圧印加チェックや、トナー残量検知シーケンスを実行する場合でも有効である。
【００５６】
以上説明したように、カートリッジ２０が新品の場合は、現像ローラ７ｂとドラム４の当接離間動作不良がないかを検知する。当接離間動作不良がなかった場合は、電源投入から画像形成可能状態までのイニシャル駆動を開始する。その際、現像ローラ７ｂ上のトナーをドラム４に転移させることで、クリーニングブレード８ａの潤滑を行う。一方、当接離間動作不良があると判断した場合は、イニシャル駆動を禁止し、ユーザーにエラー報知を行う。そのため、クリーニングブレード８ａの潤滑不足による摩耗やクリーニングブレードめくれ等の画像不良を確実に防止することができる。
【００５７】
上記実施例の画像形成装置をまとめると次のとおりである。プロセスカートリッジ２０を画像形成装置本体１の装着部Ａに対して着脱可能に装着して記録媒体Ｐに画像を形成する画像形成装置１００である。カートリッジ２０は、少なくとも、現像剤で現像される潜像が形成される回転可能な像担持体４と、像担持体４に像担持体回転方向に対してカウンターに当接して設けられたクリーニングブレード８ａを有する。また、カートリッジ２０は、像担持体４に対して接離可能に設けられ、像担持体４と接触した状態で像担持体４に形成された潜像を現像剤現像するための現像剤担持体７ｂと、記憶手段２１を有する。画像形成装置本体１は、カートリッジ２０が装着部Ａに装着されている状態において、現像剤担持体７ｂに対して現像バイアスを印加するための現像バイアス印加手段Ｅ２と、記憶手段２１に対して読み出し／書き込み可能な通信手段２２・２３を有する。また、現像剤担持体７ｂと像担持体４との接離動作を行う接離手段３０・３０Ａ・３０Ｂと、現像剤担持体７ｂと像担持体４との接離状態を検知する接離状態検知手段Ｅ２・Ｄ１と、装置１００の駆動動作を制御する制御手段１０１を備えている。制御手段１０１は、装置１００に対する電源投入から画像形成可能状態までに至るまでの間に実行する、像担持体４の駆動を含むイニシャルシーケンス制御において次のような制御を行う。即ち、電源投入時に、通信手段２２・２３によって記憶手段２１に格納されたプロセスカートリッジ使用情報を読み出す。新品情報である場合には、接離手段３０・３０Ａ・３０Ｂを現像剤担持体７ｂと像担持体４とを当接させる方向に動作させる。そして、接離状態検知手段Ｅ２・Ｄ１・３０Ａにより現像剤担持体７ｂと像担持体４との当接が検知されたらイニシャルシーケンス制御を開始する。
【００５８】
上記の構成により、現像剤担持体７ｂが像担持体４に当接する前に像担持体４が回転することによるクリーニングブレード８ａの磨耗を抑制することができる。現像剤担持体７ｂが像担持体４に当接していれば現像剤の吐き出し動作を積極的に行わないでも現像剤担持体７上の現像剤が像担持体４に少しはのって潤滑効果が発揮される。
【００５９】
ここで、イニシャルシーケンスとしては、電源投入から画像形成可能状態までに至るまでの間に実行する場合のほか、次ぎの場合もある。即ち、電源はすでに投入された状態において、カートリッジ交換を行い、その後交換のためのドアが閉じられてから画像形成可能な状態に至るまでの間に実行される場合もある。
【００６０】
制御手段１０１は、記憶手段２１から読み出したプロセスカートリッジ使用情報が新品情報ではない場合には、次のようにイニシャルシーケンス制御を開始する。即ち、接離手段３０・３０Ａ・３０Ｂの前記動作、および、接離状態検知手段Ｅ２・Ｄ１・３０Ａによる前記検知を行うことなくイニシャルシーケンス制御を開始する。このように、プロセスカートリッジ２０が新品でない場合は、上記の当接離間検知を行うことなく像担持体４の駆動をかけることで、時間を短縮できる。
【００６１】
イニシャルシーケンス制御において、現像バイアス印加手段Ｅ２から現像剤担持体７ｂに現像バイアスを印加して現像剤担持体７ｂから像担持体に現像剤を移動させてクリーニングブレード８ａと像担持体４との当接部に到達させる。これにより、クリーニングブレード８ａへ潤滑剤としての現像剤を積極的な吐き出し動作で供給することが出来る。
【００６２】
接離状態検知手段Ｅ２・Ｄ１・３０Ａは、現像バイアス印加手段Ｅ２から現像剤担持体７ｂに対して現像バイアスが印加された際に、印加手段Ｅ２と現像剤担持体７ｂと像担持体４から構成される回路に流れる電流を検出する電流検出手段Ｄ１を有する。制御手段１０１は、電流検出手段Ｄ１の検出結果から、現像剤担持体７ｂと像担持体４との接離状態を検知する。
【００６３】
画像形成装置本体１は、プロセスカートリッジ２０を装着部Ａに対して出し入れするための開口部２と、開口部２に対して開閉可能な開閉部材３と、開閉部材３の開閉状態を検知する開閉検知手段ＳＷ−Ｄを有している。
【００６４】
ここで、実施例１の画像形成装置は電子写真方式電子写真画像形成方式の装置であるが、本発明は、その他、静電記録画像形成方式、磁気記録画像形成方式等の画像形成装置においても適用して効果があることは勿論である。現像剤で現像される潜像が形成される回転可能な像担持体４は回転ドラム型に限られず、循環移動するエンドレスベルト型であってもよい。
【符号の説明】
【００６５】
１００・・画像形成装置、１・・画像形成装置本体、Ａ・・プロセスカートリッジ装着部、Ｐ・・記録媒体、２０・・プロセスカートリッジ、４・・像担持体、７ｂ・・現像剤担持体、２１・・記憶手段、Ｅ２・・現像バイアス印加手段、２２・２３・・通信手段、３０・３０Ａ・３０Ｂ・・接離手段、Ｅ２・Ｄ１・３０Ａ・・接離状態検知手段、１０１・・制御手段
【図１】
2011242518.tif 000003
【図２】
2011242518.tif 000004
【図３】
2011242518.tif 000005
【図４】
2011242518.tif 000006
【図５】
2011242518.tif 000007